(57)【要約】【課題】木材の収縮等による、壁下地からの建築用パネルに加わる圧力を逃がし、建築用パネルの前面の湾曲を防止する、建築用パネルの取付部材。【解決手段】複数の建築用パネルを、その施工した建築用パネルと取付部材との間に、建築用パネルが壁面の建築用パネルの幅方向にずれることを可能とする保持間隙か、建築用パネルと他の建築用パネルとの間に、壁面の建築用パネルの幅方向にずれることを可能とする施工間隙の、少なくとも一種類を形成する建築用パネルの取付部材により、建築用パネルの施工位置と固定具の釘の位置間に、壁下地の収縮による取付部材と建築用パネルとの間のずれを、保持間隙か施工間隙の少なくとも片方により吸収し、建築用パネルの前面の湾曲を防止しして、美観を維持可能な建築用パネルの取付部材とする。【選択図】図１
2008175034.tif 000002
【特許請求の範囲】
【請求項１】
ほぼ平坦な前面の一側端に差込片を形成し、その前面の他側端に嵌合溝と釘打片とを形成する複数の建築用パネルを、連続接続して壁下地に取付る取付部材に関して、その施工した建築用パネルと取付部材との間に、建築用パネルが壁面の建築用パネルの幅方向にずれることを可能とする保持間隙か、建築用パネルと他の建築用パネルとの間に、壁面の建築用パネルの幅方向にずれることを可能とする施工間隙の、少なくとも一種類を形成することを特徴とする建築用パネルの取付部材。
【発明の詳細な説明】
【技術分野】
【０００１】  この発明は、木材の収縮等による、壁下地からの建築用パネルに加わる圧力を逃がし、建築用パネルの前面の湾曲を防止する、建築用パネルの取付部材に関する。
【背景技術】
【０００２】  複数の建築用パネルを、連続接続して壁下地に取付る施工法には、その釘打片を釘等の固定具により釘打ちする従来例がある。
（例えば、特許文献１参照）。
【特許文献１】  特開平８−２６０６７３号公報
【発明の開示】
【発明が解決しようとする課題】
【０００３】  複数の建築用パネルを、連続接続して壁下地に、その釘打片を釘等の固定具により釘打ちする取付る従来の技術においては、建築用パネルを釘打ちしているが、木材の乾燥による壁下地の収縮により釘と釘との距離が縮まり、そのことにより施工当初一致していた建築用パネルの施工幅ピッチと固定具の釘と釘との距離が、建築用パネルの施工幅ピッチより、その釘と釘との距離が短くなり、建築用パネルの施工幅ピッチとの差を解消するように、その建築用パネルに幅方向に圧縮する圧力が加わり、建築用パネルの前面が弓なりに湾曲する問題があり、特に、上階の柱の下部を受ける横架材である、大きな荷重がかかる胴差は幅広い物が必要となり、そして、木材の特性として幅方向には収縮率が数パーセントと大きくなり、胴差は施工後の木材の乾燥による収縮が大きくなり、その為に、特に壁面の胴差部において、建築用パネルの前面の湾曲が非常に大きくなり、壁面の平坦な他の部分との違和感が発生して、美観を損ねる問題があり、また、建築用パネルの前面に被せる、建築用パネルの切断端と他の建築用パネルの切断端とを覆う、接続部材の直線状の側端が、建築用パネルの前面の湾曲に追従出来ずに隙間が発生し、壁面の美観と、雨仕舞性能を害う問題があり、そして、湾曲が甚だしい場合には、接続部材の取付手段が、建築用パネルの前面の湾曲に追従出来ずに、接続部材の脱落が発生し、壁面の美観と、雨仕舞性能を甚だしく害う問題がある。
【課題を解決するための手段】
【０００４】  この発明は、複数の建築用パネルを、その施工した建築用パネルと取付部材との間に、建築用パネルが壁面の建築用パネルの幅方向にずれることを可能とする保持間隙か、建築用パネルと他の建築用パネルとの間に、壁面の建築用パネルの幅方向にずれることを可能とする施工間隙の、少なくとも一種類を形成する建築用パネルの取付部材により、建築用パネルの施工位置と固定具の釘の位置間に、壁下地の収縮による取付部材と建築用パネルとの間のずれを、保持間隙か施工間隙の少なくとも片方により吸収し、胴差の施工後の木材の乾燥等による収縮が発生しても、建築用パネルの前面の湾曲を防止しして、壁面の他平坦な部分との違和感の発生を防止して、美観を維持可能な建築用パネルの取付部材とする。
【発明の効果】
【０００５】  この発明による取付部材には、次のような、効果がある。【０００６】Ａ．複数の建築用パネルを、その施工した建築用パネルと取付部材との間に、建築用パネルが壁面の建築用パネルの幅方向にずれることを可能とする保持間隙か、建築用パネルと他の建築用パネルとの間に、壁面の建築用パネルの幅方向にずれることを可能とする施工間隙の、少なくとも一種類を形成する建築用パネルの取付部材により、
ａ．建築用パネルの施工位置と固定具の釘の位置間に、壁下地の収縮による取付部材と建築用パネルとの間のずれを、保持間隙か施工間隙の少なくとも片方により吸収し、胴差の施工後の木材の乾燥等による収縮が発生による、建築用パネルの前面の湾曲を防止して、
イ．壁面の他平坦な部分との違和感の発生を防止して、美観を維持可能とし、
ロ．建築用パネルの前面に被せる、建築用パネルの切断端と他の建築用パネルの切断端とを覆う、接続部材の直線状の側端が、建築用パネルの前面に追従して隙間の発生を防止する。【０００７】Ｂ．取付部材の押付端が、建築用パネルの釘打片を裏面方向に押し付けて、取付部材の挟込片が表面方向に押し付けて、建築用パネルの釘打片を取付部材の押付端と挟込片とにより挟み込み、次の位置決機構の少なくとも１種類を使用する、建築用パネルの取付部材の場合、
ａ．位置決機構が、位置決片が押付片より幅が狭く、その位置決端と挟込片との間が、建築用パネルの折返端の厚さより狭く形成し、折返端を位置決端と挟込片との間に差し込むときに、位置決片が弾性変形をして差し込み可能となり、そして、差し込まれた折返端が、位置決片が復元した位置決端に当てることにより、取付部材の位置決をする取付部材の場合、
イ．取付部材の寸法が小さく出来て、コストが安い、
ロ．取付部材を、容易に正確に位置決めすることが可能となり、
ｂ．位置決機構が、平坦で細長い矩形の間隔板の、一短辺に形成した位置決片を、他の短辺に形成した支持端に乗せて、取付部材の位置決めする取付部材の場合、
イ．壁下地の収縮による取付部材と建築用パネルとの間のずれを、位置決片の位置決端が、支持端に押し付けられて乗り上げて、取付部材がずれることにより、
ロ．取付部材を、容易に正確でしっかりと位置決めすることが可能となり、
ｃ．位置決機構が、押付片と挟込片との間の保持間隔の奥側に、弾性変形し易い発泡合成樹脂の、ひも状の弾性樹脂による、保持緩衝を装着し、建築用パネルの折返端の先端がその保持緩衝に当たり、取付部材の位置決をする取付部材の場合、
イ．壁下地の収縮による取付部材と建築用パネルとの間のずれを、保持緩衝が折返端の先端により押しつぶされて、取付部材がずれることにより、
ロ．取付部材を、容易に素早く位置決めすることが可能となる。【０００８】Ｃ．取付部材の押付端と押付片との角を、建築用パネルの前面と長切断端との角に、合わせてその取付片を釘打ち固定する取り付けする、建築用パネルの取付部材の場合、
ａ．取付部材の保持段差により、水切や見切縁との間に保持間隔を形成し、
イ．壁下地の収縮による取付部材と建築用パネルとの間のずれを、押付片の弾性変形により、ずれることを可能とし、
ロ．胴差の部分に施工することにより、他の部分は従来通りとすることが可能となり、施工容易となり、
ハ．取付部材の上下で建築用パネルの縦張りと横張りと、意匠を変えることも可能となり、意匠性が向上する。【０００９】Ｄ．複数の細長い矩形の間を幅の狭い保持緩衝によりつなぎ、表面側に突起する山形の位置決筋を成形して、その位置決筋に、建築用パネルの釘打片に形成した、裏面側に開口する断面山形の取付溝を被せる、建築用パネルの取付部材の場合、
ａ．位置決筋間のピッチを、複数の建築用パネルの間に、施工間隙を形成し、
イ．壁下地の収縮を、取付部材の間隔板と建築用パネルとの間のずれを、保持緩衝の弾性変形と、建築用パネルとの間の施工間隙の減少により、ずれることを可能とし、
ロ．建築用パネルの固定を直接の釘止めとすることにより、施工方法に対する抵抗感を減少可能となり、
ハ．施工時に、建築用パネルとの間のピッチを容易に揃えることが可能になり、施工性と美観が向上する。【００１０】Ｅ．建築用パネルの釘打ち固定を別部材の取付部材とすることにより、建築用パネルの釘打片が強度が弱いと、釘の頭の抜けや、釘打片の割れが発生する問題があるが、
ａ．別部材とすることにより、釘の頭の抜けや、釘打片の割れが防止できて、
イ．建築用パネルの表面材に、最適な金属が選択可能になり、コストが向上し、
ロ．エンボス加工が容易な柔らかい金属板も使用可能になり、意匠性が向上する。【００１１】Ｆ．壁下地が鉄骨の場合、建築用パネルの釘打ち固定を別部材の取付部材とすることにより、
ａ．壁下地の地震等による揺れに、対応可能となり、被害が減少し、
ｂ．取付部材を溶接可能な金属板とすることが可能となり、施工性が向上し、コストが向上する。【００１２】Ｇ．この発明の建築用パネルの取付部材を使用する、壁面とすることにより、
ａ．乾燥不十分の壁下地材による、経時変化による、建築用パネルの前面の湾曲を防止して、
イ．後日のクレーム発生を防止して、施工後の壁面の張り替えを不要とし、信用が向上し、
ｂ．施工時に一定の力で抑えることが出来て、建築用パネルの過度の押さえつけ施工が防止できて、そのことによる建築用パネルの湾曲も防止可能となり、美観が向上する。
【発明を実施するための最良の形態】
【００１３】Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板
ｅ．次に代表されるバネ用板
イ．バネ用ステンレス板
ロ．バネ用炭素鋼板
ハ．バネ用銅合金板等を使用する。【００１４】Ｂ．この発明に使用される建築用パネルや部材の釘打ち固定には、
ａ．次に代表される、固定具を使用し、
イ．セルフドリリングタッピングビス
ロ．釘
ハ．ホッチキス
ニ．木ネジ
ホ．コースレッド等
ｂ．また、ブラインドリベットは、
イ．ブラインドリベットに代表されるリベット
ロ．セルフドリリングタッピングビス等の短寸ネジ
ハ．ホッチキス等を使用し、
ｃ．防水紙の張り付けには、
イ．ガンタッカー
ロ．両面接着テープ
ハ．接着剤
ニ．釘
ホ．ホッチキス等が使用する。【００１５】Ｃ．この発明に使用される発泡合成樹脂等は、
ａ．建築用パネルの裏打材には、
イ．次に代表される発泡合成樹脂に
○硬質発泡ウレタン樹脂
○硬質発泡ヌレート樹脂
○発泡フェノール樹脂
○発泡スチレン樹脂等
ロ．次に代表される裏面材を積層している。
○はり合わせアルミニウム箔
○スチールペーパー
○ポリエチコートクラフト紙
○アルミ蒸着紙
○合成樹脂シート等
ハ．前記の金属板と裏面材との間に、それらの発泡合成樹脂を充填し、主に発泡合成樹脂の自己接着性を利用して、積層している。
ニ．また、裏面材を欠いた発泡合成樹脂のみの、裏打材とする事も可能である。
ｂ．この発明の弾性樹脂には、
イ．次に代表される発泡合成樹脂
○軟質発泡ポリ塩化ビニル樹脂
○軟質発泡ウレタン樹脂等
ロ．次に代表されるゴムや発泡ゴム
○ブチルゴム
○ウレタンゴム
○クロロプレンゴム
○天然ゴム等
ハ．上記のゴム等のチューブ等のが使用される。【００１６】  発明の実施例について、次の、実施例１、実施例２、実施例３、実施例４、及び実施例５により、図面を参照して説明する。
【実施例１】
【００１７】  図１，図２，図３，図４，図５，及び図６は、この発明の実施例１を示すものである。【００１８】Ａ．図５に示す、実施例１においての建築用パネル１は、
ａ．金属板６による長尺の表面材１ａを成形して、ほぼ平坦な前面１ｂを形成し、
ｂ．その前面１ｂの一側端に、次のような、差込片１ｄを持つ差込部１ｃを形成し、
イ．その差込部１ｃは、前面１ｂの一側端を裏面側に折り返して、さらに、クランク状に表面側に折り曲げ、さらに、Ｕ字形に表面側に折り曲げて、その先端を裏面側に折り返した差込片１ｄを形成し、
ｃ．前面１ｂの他側端に、次のような、嵌合片１ｅと、嵌合溝１ｆと、釘打片１ｈと、折返端１ｉとを形成し、
イ．前記の前面１ｂを、くの字形に裏面側に折り曲げて、さらに、クランク状に裏面側に折り曲げて、そして、裏面側に折り返して、嵌合片１ｅを形成し、
ロ．その嵌合片１ｅを、Ｕ字形に表面側に折り曲げて、嵌合溝１ｆを形成し、
ハ．その嵌合溝１ｆを延長して、裏面側に開口する断面半円形の突条を途中に持ち、先端に表面側に折り返した折返端１ｉとを持つ、釘打片１ｈを形成し、
ｄ．また、成形した表面材１ａの裏面側に、裏面材１ｋにより覆った、発泡合成樹脂７による次のような、裏打材１ｊを形成し、
イ．その裏面材１ｋは、差込部１ｃの前面１ｂと差込片１ｄとの隙間から、釘打片１ｈに亘る間を覆い、
ロ．その差込部１ｃの、近傍において、クランク状に厚さを増加して、釘打片１ｈへ続く、平坦な裏打材１ｊを形成し、
ｅ．それらの表面材１ａと裏打材１ｊとを切断して、長手方向の両端に切断端１ｌを形成する。【００１９】Ｂ．図６に示す、実施例１の取付部材２は、金属板６を成形して、
ａ．平坦な取付片２ａに、小径の円形をした、取付孔２ｂを複数穴あけし、
ｂ．その取付片２ａの両端を側方に延長して、挟込片２ｈを形成し、
ｃ．その両方の挟込片２ｈの内側に接する部分を側方に延長して、次のような、位置決片２ｅを形成し、
イ．その位置決片２ｅは、ほぼクランク状に表面側に折り曲げて、その先端に、くの字形に裏面側に折れ曲がり、さらに、Ｌ字形に表面側に折れ曲がる、位置決端２ｆを形成し、
ｄ．その両方の位置決片２ｅに挟まれた間を側方に延長して、次のような、押付片２ｃを形成し、
イ．その押付片２ｃは、ほぼクランク状に表面側に折り曲げて、その先端に、くの字形に裏面側に折れ曲がり、前記の挟込片２ｈの延長面近傍において、さらに、Ｌ字形に表面側に折れ曲がる、押付端２ｄを形成し、
ｅ．それらの位置決片２ｅと押付片２ｃと挟込片２ｈの延長面とにより、保持間隙２ｋを形成する。【００２０】Ｃ．図１，図２，図３，及び図４に示す、実施例１の壁面５の施工は、
ａ．次のように施工して、壁下地５ａを形成し、
イ．柱５ｂと間柱５ｃの上端に、胴差５ｄを乗せて木組みにより固定し、
ロ．その胴差５ｄの上に、他の柱５ｂと間柱５ｃとを乗せて木組みにより固定し、壁下地５ａを形成し、
ｂ．その壁下地５ａの上に、建築用パネル１を、複数、次のように施工し、
イ．その壁下地５ａの下方から施工された、建築用パネル１の釘打片１ｈを、次のように取付部材２により、壁下地５ａに押し付け施工し、
ロ．柱５ｂや間柱５ｃとの交差する位置の、その建築用パネル１の釘打片１ｈに、
ハ．取付部材２の挟込片２ｈと押付端２ｄとの間を、その釘打片１ｈの折返端１ｉに被せて押し付け、
ニ．その釘打片１ｈの折返端１ｉが、取付部材２の位置決端２ｆに当たり、その取付部材２の位置決片２ｅを押し広げ、
ホ．取付部材２の保持間隙２ｋの中に、釘打片１ｈの折返端１ｉが差し込まれて、取付部材２の位置決端２ｆが復元して、
ヘ．取付部材２の押付端２ｄが、建築用パネル１の釘打片１ｈを裏面方向に押し付けて、取付部材２の挟込片２ｈが表面方向に押し付けて、建築用パネル１の釘打片１ｈを取付部材２の押付端２ｄと挟込片２ｈとにより挟み込み、
ト．その取付部材２の取付片２ａの取付孔２ｂを釘打ちして、前記の柱５ｂや間柱５ｃや胴差５ｄに固定し、
チ．上記を繰り返して、複数の取付部材２により建築用パネル１の釘打片１ｈを押し付け施工し、
リ．その押し付け施工された建築用パネル１の嵌合溝１ｆに、他の建築用パネル１の差込片１ｄを差し込み、
ヌ．後者の建築用パネル１を上記のようにして、複数の取付部材２により建築用パネル１を押し付け施工し、
ル．上記を繰り返して残った壁下地５ａの上に、複数の建築用パネル１により覆う壁面５を施工する。
【実施例２】
【００２１】  図５，図７，図８，図９，図１０，及び図１１は、この発明の実施例２を示すものである。【００２２】Ａ．図５に示す、実施例２においての建築用パネル１は、実施例１と同じものである。【００２３】Ｂ．図１１に示す、実施例２の取付部材２は、金属板６を成形して、
ａ．平坦で細長い矩形の間隔板２ｊの、一短辺の中程を長辺方向に延長した、取付片２ａに、小径で円形の孔をあけて、取付孔２ｂを形成し、
ｂ．その取付片２ａを延長して、次のような、押付片２ｃを形成し、
イ．その押付片２ｃは、ほぼクランク状に表面側に折り曲げて、その先端をくの字形に裏面側に折り曲げて、前記の間隔板２ｊを延長した面の近傍において、さらに、Ｌ字形に表面側に折り曲げて押付端２ｄを形成し、
ｃ．取付片２ａを挟むように、前記の間隔板２ｊの両側を長辺方向に延長して、次のような、位置決片２ｅを形成し、
イ．その位置決片２ｅは、押付片２ｃの手前において、その先端に、くの字形に表面側に折れ曲がる、位置決端２ｆを形成し、
ｄ．前記の間隔板２ｊでの他方の短辺の両側を、長辺方向に延長して、次のような、挟込片２ｈを形成し、
イ．その挟込片２ｈは、その先端をくの字形に表面側に折り曲げて、さらに、Ｌ字形に裏面側に折り曲げて、支持端２ｉを形成し、
ロ．その支持端２ｉから、前記の位置決端２ｆまでの長さを、建築用パネル１の施工ピッチに合わせて構成し、
ｅ．それらの押付片２ｃと挟込片２ｈの延長面とにより、保持間隙２ｋを形成する。【００２４】Ｃ．図７，図８，図９，及び図１０に示す、実施例２の壁面５の施工は、
ａ．次のように施工して、壁下地５ａを形成し、
イ．柱５ｂと間柱５ｃの上端に、胴差５ｄを乗せて木組みにより固定し、
ロ．その胴差５ｄの上に、他の柱５ｂと間柱５ｃとを乗せて木組みにより固定し、壁下地５ａを形成し、
ｂ．その壁下地５ａの上に、建築用パネル１を、複数、次のように施工し、
イ．その壁下地５ａの下方に、建築用パネル１を配置し、
ロ．次に、柱５ｂや間柱５ｃとの交差する位置の、その建築用パネル１の釘打片１ｈの折返端１ｉに、取付部材２の押付片２ｃを合わせて重ね、取付部材２の取付孔２ｂにより、前記の柱５ｂや間柱５ｃや胴差５ｄの壁下地５ａに釘打ち固定し、
ハ．上記を繰り返して、複数の取付部材２により建築用パネル１の釘打片１ｈを押し付け施工し、
ニ．その押し付け施工された建築用パネル１の嵌合溝１ｆに、他の建築用パネル１の差込片１ｄを差し込み、
ホ．後者の建築用パネル１を、次のようにして、複数の取付部材２により建築用パネル１を押し付け施工し、
ヘ．釘打ち固定された取付部材２の挟込片２ｈに、後者の建築用パネル１の釘打片１ｈを重ねて、
ト．釘打ち固定された取付部材２の支持端２ｉに、他の取付部材２の位置決端２ｆを乗せて、また、後者の建築用パネル１の釘打片１ｈの折返端１ｉに、取付部材２の押付片２ｃを合わせて重ね、取付部材２の取付孔２ｂにより、前記の柱５ｂや間柱５ｃや胴差５ｄの壁下地５ａに釘打ち固定し、
チ．上方の取付部材２の押付片２ｃと、下方の取付部材２の挟込片２ｈと支持端２ｉとにより、保持間隙２ｋを形成し、
リ．上方の取付部材２の押付端２ｄが、建築用パネル１の釘打片１ｈを裏面方向に押し付けて、下方の取付部材２の挟込片２ｈが表面方向に押し付けて、建築用パネル１の釘打片１ｈを取付部材２の押付端２ｄと挟込片２ｈとにより挟み込み、
ヌ．上記を繰り返して残った壁下地５ａの上に、複数の建築用パネル１により覆う壁面５を施工する。
【実施例３】
【００２５】  図５，図１２，図１３，図１４，図１５，図１６，図１７，及び図１８は、この発明の実施例３を示すものである。【００２６】Ａ．図５に示す、実施例３においての建築用パネル１は、実施例１と同じものである。【００２７】Ｂ．図１６に示す、実施例３の取付部材２である、下取付具２ｎと、上取付具２ｏとは、細長い矩形の金属板６を成形して、
ａ．その下取付具２ｎは、
イ．ほぼ平坦で細長い矩形を呈し、裏面側に開口する底辺を欠く等脚台形の断面の、突条をその途中に持つ、取付片２ａを形成し、
ロ．その取付片２ａの一端を表面側に折り返して、更に、Ｌ字形に裏面側に折り曲げて保持段差２ｍを形成し、
ハ．更に、Ｌ字形に表面側に折り曲げて、押付片２ｃを形成し、
ニ．その押付片２ｃを、Ｌ字形に表面側に折り曲げて、先端をわずかに裏面側に反らした、押付端２ｄを形成し、
ｂ．その上取付具２ｏは、
イ．ほぼ平坦で矩形を呈する、取付片２ａを形成し、
ロ．その取付片２ａの一端を、Ｌ字形に表面側に折り返して、更に、Ｌ字形に裏面側に折り曲げて保持段差２ｍを形成し、
ハ．更にＬ字形に表面側に折り曲げて、押付片２ｃを形成し、
ニ．その押付片２ｃを、Ｌ字形に裏面側に折り曲げて、先端をわずかに表面側に反らした、押付端２ｄを形成し、【００２８】Ｃ．図１７に示す、実施例３の水切３は、
ａ．その水切３は、長尺の金属板６を成形して、
ｂ．平坦な面から側方に、クランク状に裏面側に折り曲げて、その先端を裏面側に折り返した水切面３ｃを形成し、
ｃ．その水切面３ｃから他の側方に、くの字形に裏面側に折り曲げて、流水面３ｂを形成し
ｄ．その流水面３ｂを、くの字形に表面側に折り曲げて、その先端を表面側に折り返した、釘打面３ａを形成する。【００２９】Ｄ．図１８に示す、実施例３の見切縁４は、
ａ．その見切縁４は、長尺の金属板６を成形して、
ｂ．平坦な一端を裏面側に折り返した見切辺４ｂを形成し、
ｃ．その見切辺４ｂの他端を、Ｌ字形に裏面側に折り曲げて、表面側に開口する片方の長辺を欠く矩形の断面の、係止溝４ｅを形成し
ｄ．さらに、延長して、見切底４ｃを形成し、
ｅ．その見切底４ｃにおいて、係止溝４ｅの途中を切断するように、見切底４ｃに平行な平面への投影が円形の孔を、複数開けて、水抜孔４ｄを形成し、
ｆ．また、その見切底４ｃをＬ字形に裏面側に折り曲げて、表面側に開口する底辺を欠く断面三角形の突条を途中に持ち、先端を裏面側に折り返した、ほぼ平坦な釘打辺４ａを形成する。【００３０】Ｅ．図１２，図１３，図１４，及び図１５に示す、実施例３の壁面５の施工は、
ａ．次のように施工して、壁下地５ａを形成し、
イ．柱５ｂと間柱５ｃの上端に、胴差５ｄを乗せて木組みにより固定し、
ロ．その胴差５ｄの上に、他の柱５ｂと間柱５ｃとを乗せて木組みにより固定し、壁下地５ａを形成し、
ｂ．その壁下地５ａの上に、建築用パネル１を、複数、次のように施工し、
イ．その壁下地５ａの下方に、建築用パネル１を配置し、柱５ｂや間柱５ｃとの交差する位置の、その建築用パネル１の釘打片１ｈを釘打ち固定し、
ロ．次に、その施工された建築用パネル１の嵌合溝１ｆに、他の建築用パネル１の差込片１ｄを差し込み、後者の建築用パネル１の釘打片１ｈを釘打ち固定し、
ハ．上記を繰り返して、複数の建築用パネル１により、前記の胴差５ｄの下方の壁面５を施工し、
ニ．そのようにして最後に施工された建築用パネル１の嵌合溝１ｆに、嵌合後に胴差５ｄの所定位置に合うように、建築用パネル１の前面１ｂを長手方向に切断して長切断端１ｍを形成し、後者の建築用パネル１の差込片１ｄを差し込み、
ホ．後者の建築用パネル１を、次のようにして、複数の取付部材２の下取付具２ｎにより建築用パネル１を押し付け施工し、
ヘ．後者の建築用パネル１の前面１ｂと長切断端１ｍとの角に、下取付具２ｎの押付片２ｃと押付端２ｄとの角を合わせて、下取付具２ｎの取付片２ａを釘打ち固定し、
ト．上記を繰り返して、複数の下取付具２ｎにより、後者の建築用パネル１の前面１ｂを押し付け施工し、
ｃ．上記により、施工された下取付具２ｎに、水切３を次のように施工し、
イ．それらの施工された複数の下取付具２ｎの保持段差２ｍの上面に、水切３の流水面３ｂを乗せて、
ロ．その水切３の釘打面３ａを釘打ち固定し、
ハ．下取付具２ｎの押付片２ｃと保持段差２ｍと、水切３の流水面３ｂとにより、保持間隙２ｋを形成し、
ｄ．その固定された水切３の上に、見切縁４を次のように施工し、
イ．その水切３の流水面３ｂと釘打面３ａとの角に、見切縁４の見切底４ｃと釘打辺４ａとの角を合わせて、
ロ．その見切縁４の釘打辺４ａを釘打ち固定し、
ｆ．その固定された見切縁４の中に、上取付具２ｏを次のように施工し、
イ．その見切縁４の、見切底４ｃと釘打辺４ａとの角に、取付片２ａと保持段差２ｍとの折返しを合わせて、
ロ．その上取付具２ｏの取付片２ａを釘打ち固定し、
ハ．上取付具２ｏの押付片２ｃと保持段差２ｍと、見切縁４の見切底４ｃとにより、保持間隙２ｋを形成し、
ｇ．その固定された上取付具２ｏの中に、他の建築用パネル１を次のように差し込み、
イ．その上取付具２ｏの取付片２ａと押付端２ｄとの間に、建築用パネル１の差込部１ｃを差し込み、その釘打片１ｈを釘打ち固定し、
ロ．次に、その施工された建築用パネル１の嵌合溝１ｆに、他の建築用パネル１の差込片１ｄを差し込み、
ハ．上記を繰り返して、複数の建築用パネル１により、前記の胴差５ｄの上方の壁面５を施工し、
ニ．そして、胴差５ｄに施工された水切３の上方と下方とに、複数の建築用パネル１による、壁面を施工する。
【実施例４】
【００３１】  図１９，図２０，図２１，図２２，図２３，及び図２４は、この発明の実施例４を示すものである。【００３２】Ａ．図２３に示す、実施例４においての建築用パネル１は、
ａ．金属板６による長尺の表面材１ａを成形して、ほぼ平坦な前面１ｂを形成し、
ｂ．その前面１ｂの一側端に、次のような、差込片１ｄを持つ差込部１ｃを形成し、
イ．その差込部１ｃは、前面１ｂの一側端を裏面側に折り返して、さらに、クランク状に表面側に折り曲げ、さらに、Ｕ字形に表面側に折り曲げて、その先端を裏面側に折り返した差込片１ｄを形成し、
ｃ．前面１ｂの他側端に、次のような、嵌合片１ｅと、嵌合溝１ｆと、取付溝１ｇと、釘打片１ｈと、折返端１ｉとを形成し、
イ．前記の前面１ｂを、くの字形に裏面側に折り曲げて、さらに、クランク状に裏面側に折り曲げて、そして、裏面側に折り返して、嵌合片１ｅを形成し、
ロ．その嵌合片１ｅを、Ｕ字形に表面側に折り曲げて、嵌合溝１ｆを形成し、
ハ．その嵌合溝１ｆを、くの字形に表面側に折り曲げて、さらに、Ｌ字形に裏面側に折り曲げて、表面側に突起し裏面側に開口する断面山形の、取付溝１ｇを形成し、
ニ．その取付溝１ｇをくの字形に表面側に折り曲げ延長して、裏面側に開口する断面半円形の突条を途中に持ち、先端に表面側に折り返した折返端１ｉとを持つ、釘打片１ｈを形成し、
ｄ．また、成形した表面材１ａの裏面側に、裏面材１ｋにより覆った、発泡合成樹脂７による次のような、裏打材１ｊを形成し、
イ．その裏面材１ｋは、差込部１ｃの前面１ｂと差込片１ｄとの隙間から、釘打片１ｈに亘る間を覆い、
ロ．その差込部１ｃの、近傍において、クランク状に厚さを増加して、釘打片１ｈへ続く、平坦な裏打材１ｊを形成し、
ｅ．それらの表面材１ａと裏打材１ｊとを切断して、長手方向の両端に切断端１ｌを形成する。【００３３】Ｂ．図２４に示す、実施例４の取付部材２は、複数の細長い矩形の間を幅の狭い部分によりつなぐ形の、金属板６を成形して、
ａ．平坦で細長い矩形の間隔板２ｊの一短辺の中程の幅の狭い部分を、延長しＬ字形に表面側に折り曲げて、次のような、保持緩衝２ｌを形成し、
イ．その保持緩衝２ｌは、さらに、Ｕ字型に裏面側に折り曲げて、そしてＵ字型に表面側に折り曲げて、またＵ字型に裏面側に折り曲げて形成し、
ロ．次に、Ｌ字形に表面側に折り曲げて、取付片２ａの中程に連続し、
ｂ．その取付片２ａを、くの字形に表面側に折り曲げて、さらに、Ｌ字形に裏面側に折り曲げて、表面側に突起し裏面側に開口する断面山形の、位置決筋２ｇを形成し、
ｃ．その位置決筋２ｇを挟む様に、くの字形に表面側に折り曲げて延長し他の間隔板２ｊを形成し、
ｄ．上記を繰り返して、取付片２ａと位置決筋２ｇと間隔板２ｊとからなる、複数のほぼ細長い矩形と、その間を繋ぐ保持緩衝２ｌとからなり、
ｅ．それらのと位置決筋２ｇ間のピッチは、建築用パネル１と他の建築用パネル１とを、変形しない程度に押し付けて施工した場合のピッチより、嵌合が外れない範囲で長く形成する。【００３４】Ｃ．図１９，図２０，図２１，及び図２２に示す、実施例４の壁面５の施工は、
ａ．次のように施工して、壁下地５ａを形成し、
イ．柱５ｂと間柱５ｃの上端に、胴差５ｄを乗せて木組みにより固定し、
ロ．その胴差５ｄの上に、他の柱５ｂと間柱５ｃとを乗せて木組みにより固定し、壁下地５ａを形成し、
ｂ．その壁下地５ａの上に、取付部材２を、複数、次のように施工し、
イ．その壁下地５ａの柱５ｂの上に、取付部材２を釘打ち固定し、
ロ．壁下地５ａの、その他の柱５ｂや間柱５ｃの上に、固定した取付部材２の位置決筋２ｇに合わせて、他の取付部材２の位置決筋２ｇのレベルを合わせて、後者の取付部材２を釘打ち固定し、
ハ．上記を繰り返して、柱５ｂや間柱５ｃの上に、位置決筋２ｇのレベルを合わせた、複数の取付部材２を施工し、
ｃ．その壁下地５ａの固定した取付部材２上に、建築用パネル１を、複数、次のように施工し、
イ．その壁下地５ａの固定した取付部材２の位置決筋２ｇに、下方から施工された、建築用パネル１の釘打片１ｈの取付溝１ｇを被せて、その釘打片１ｈを釘打ち固定し、
ロ．上記を繰り返して、柱５ｂや間柱５ｃとの交差する位置の、その建築用パネル１の釘打片１ｈを釘打ち固定し、
ハ．その釘打ち固定された建築用パネル１の嵌合溝１ｆに、他の建築用パネル１の差込片１ｄを差し込み、
ニ．後者の建築用パネル１の釘打片１ｈの取付溝１ｇを、壁下地５ａの固定した取付部材２の位置決筋２ｇに被せて、その建築用パネル１の釘打片１ｈを、複数釘打ち固定し施工し、
ホ．前者の建築用パネル１の嵌合片１ｅと、後者の差込片１ｄに連なる溝部の最奥との間に隙間が空いて、施工間隙１ｎを形成し、
ヘ．上記を繰り返して残った壁下地５ａの上に、複数の建築用パネル１の間に、施工間隙１ｎを形成した建築用パネル１により覆う、壁面５を施工する。
【実施例５】
【００３５】  図５，図２５，図２６，図２７，図２８，及び図２９は、この発明の実施例５を示すものである。【００３６】Ａ．図５に示す、実施例５においての建築用パネル１は、実施例１と同じものである。【００３７】Ｂ．図２９に示す、実施例５の取付部材２は、金属板６を成形して、
ａ．平坦な、取付片２ａに、小径の円形をした、取付孔２ｂを複数穴あけし、
ｂ．その取付片２ａの両端と、内方に間隔を開けて複数枚を側方に延長して、挟込片２ｈを形成し、
ｃ．その両側の挟込片２ｈの内側に接する部分の、挟込片２ｈを切り出した、金属板６を側方に延長して、次のような、押付片２ｃを形成し、
イ．その押付片２ｃは、ほぼクランク状に表面側に折り曲げて、その先端をくの字形に裏面側に折り曲げて、前記の挟込片２ｈの延長面近傍において、さらに、くの字形に表面側に折り曲げて延長し、くの字形に表面側に折り曲げた、押付端２ｄを形成し、
ｅ．それらの押付片２ｃと挟込片２ｈの延長面とにより、保持間隙２ｋを形成し、
ｆ．その保持間隙２ｋの奥側に、弾性変形し易い発泡合成樹脂７の、ひも状の弾性樹脂７ａによる、保持緩衝２ｌを装着する。【００３８】Ｃ．図２５，図２６，図２７，及び図２８に示す、実施例５の壁面５の施工は、
ａ．次のように施工して、壁下地５ａを形成し、
イ．柱５ｂと間柱５ｃの上端に、胴差５ｄを乗せて木組みにより固定し、
ロ．その胴差５ｄの上に、他の柱５ｂと間柱５ｃとを乗せて木組みにより固定し、壁下地５ａを形成し、
ｂ．その壁下地５ａの上に、建築用パネル１を、複数、次のように施工し、
イ．その壁下地５ａの下方から施工された、建築用パネル１の釘打片１ｈを、次のように取付部材２により、壁下地５ａに押し付け施工し、
ロ．柱５ｂや間柱５ｃとの交差する位置の、その建築用パネル１の釘打片１ｈに、
ハ．取付部材２の挟込片２ｈと押付端２ｄとの間を、その釘打片１ｈの折返端１ｉに被せて、
ニ．その釘打片１ｈの折返端１ｉが、取付部材２の保持緩衝２ｌに当たり、
ホ．取付部材２の保持間隙２ｋの中に、釘打片１ｈの折返端１ｉが差し込まれて、
ヘ．取付部材２の押付端２ｄが、建築用パネル１の釘打片１ｈを裏面方向に押し付けて、取付部材２の挟込片２ｈが表面方向に押し付けて、建築用パネル１の釘打片１ｈを取付部材２の押付端２ｄと挟込片２ｈとにより挟み込み、
ト．その取付部材２の取付片２ａの取付孔２ｂを釘打ちして、前記の柱５ｂや間柱５ｃや胴差５ｄに固定し、
チ．上記を繰り返して、複数の取付部材２により建築用パネル１の釘打片１ｈを押し付け施工し、
リ．その押し付け施工された建築用パネル１の嵌合溝１ｆに、他の建築用パネル１の差込片１ｄを差し込み、
ヌ．後者の建築用パネル１を上記のようにして、複数の取付部材２により建築用パネル１を押し付け施工し、
ル．上記を繰り返して残った壁下地５ａの上に、複数の建築用パネル１により覆う壁面５を施工する。
【図面の簡単な説明】
【００３９】
【図１】  外壁の施工状態を示す一部省略断面図（実施例１）
【図２】  外壁の施工状態を示す一部省略斜視図（実施例１）
【図３】  外壁の施工状態を示す一部省略斜視図（実施例１）
【図４】  外壁の施工状態を示す一部省略斜視図（実施例１）
【図５】  建築用パネルを示す一部省略斜視図（実施例１、２、３、及び５）
【図６】  取付部材を示す斜視図（実施例１）
【図７】  外壁の施工状態を示す一部省略断面図（実施例２）
【図８】  外壁の施工状態を示す一部省略斜視図（実施例２）
【図９】  外壁の施工状態を示す一部省略斜視図（実施例２）
【図１０】  外壁の施工状態を示す一部省略斜視図（実施例２）
【図１１】  取付部材を示す斜視図（実施例２）
【図１２】  外壁の施工状態を示す一部省略断面図（実施例３）
【図１３】  外壁の施工状態を示す一部省略斜視図（実施例３）
【図１４】  外壁の施工状態を示す一部省略斜視図（実施例３）
【図１５】  外壁の施工状態を示す一部省略斜視図（実施例３）
【図１６】  取付部材を示す斜視図（実施例３）
【図１７】  水切を示す一部省略斜視図（実施例３）
【図１８】  見切縁を示す一部省略斜視図（実施例３）
【図１９】  外壁の施工状態を示す一部省略断面図（実施例４）
【図２０】  外壁の施工状態を示す一部省略斜視図（実施例４）
【図２１】  外壁の施工状態を示す一部省略斜視図（実施例４）
【図２２】  外壁の施工状態を示す一部省略斜視図（実施例４）
【図２３】  建築用パネルを示す一部省略斜視図（実施例４）
【図２４】  取付部材を示す一部省略斜視図（実施例４）
【図２５】  外壁の施工状態を示す一部省略断面図（実施例５）
【図２６】  外壁の施工状態を示す一部省略斜視図（実施例５）
【図２７】  外壁の施工状態を示す一部省略斜視図（実施例５）
【図２８】  外壁の施工状態を示す一部省略斜視図（実施例５）
【図２９】  取付部材を示す一部省略斜視図（実施例５）
【符号の説明】
【００４０】  １  建築用パネル
２  取付部材
３  水切
４  見切縁
５  壁面
６  金属板
７  発泡合成樹脂
【図１】
2008175034.tif 000003
【図２】
2008175034.tif 000004
【図３】
2008175034.tif 000005
【図４】
2008175034.tif 000006
【図５】
2008175034.tif 000007
【図６】
2008175034.tif 000008
【図７】
2008175034.tif 000009
【図８】
2008175034.tif 000010
【図９】
2008175034.tif 000011
【図１０】
2008175034.tif 000012
【図１１】
2008175034.tif 000013
【図１２】
2008175034.tif 000014
【図１３】
2008175034.tif 000015
【図１４】
2008175034.tif 000016
【図１５】
2008175034.tif 000017
【図１６】
2008175034.tif 000018
【図１７】
2008175034.tif 000019
【図１８】
2008175034.tif 000020
【図１９】
2008175034.tif 000021
【図２０】
2008175034.tif 000022
【図２１】
2008175034.tif 000023
【図２２】
2008175034.tif 000024
【図２３】
2008175034.tif 000025
【図２４】
2008175034.tif 000026
【図２５】
2008175034.tif 000027
【図２６】
2008175034.tif 000028
【図２７】
2008175034.tif 000029
【図２８】
2008175034.tif 000030
【図２９】
2008175034.tif 000031